(57)【要約】      （修正有）【課題】生産計画のガントチャート表示に関して複数の対象物の比較を容易におこなうことが出来る計画管理システム及び方法及び記録媒体を提供すること。【解決手段】計画を管理する計画管理システム３０１は、計画画面のサイズ、ガントチャートの表示位置、ガントチャートの表示範囲、ガントチャートの縦軸要素の順序、ガントチャートの各作業要素を識別する情報の少なくとも１つ以上を含む計画画面の表示属性情報を保持し、表示属性情報を属性保持手段３０７に保存し、属性保持手段が保持する表示属性情報を計画画面に反映する。【選択図】図１
2017120453.tif 000002
【特許請求の範囲】
【請求項１】
計画を管理する計画管理システムにおいて、
計画画面の表示属性情報を保持する属性保持手段（Ｓ３０２）と、
表示属性情報を属性保持手段に保存する属性保存手段（Ｓ２０９）と、
属性保持手段が保持する表示属性情報を計画画面に反映する属性反映手段（Ｓ２１１）と、
を備えることを特徴とする計画管理システム。
【請求項２】
さらに、計画画面に表示属性情報を反映する前の表示属性情報を保持する履歴保持手段（Ｓ３１３）と、計画画面に表示属性情報が反映される前の状態に戻す反映取消手段（Ｓ２１３）と、を備えることを特徴とする請求項１に記載の計画管理システム。
【請求項３】
前記属性反映手段は、前記属性保持手段が表示属性情報を保持している場合に、計画画面の表示属性情報を前記履歴保持手段に保存し、前記属性保持手段が保持している表示属性情報を計画画面に適用することを特徴とする請求項２に記載の計画管理システム。
【請求項４】
前記表示属性情報は、計画画面のサイズ、ガントチャートの表示位置、ガントチャートの表示範囲、ガントチャートの縦軸要素の順序、ガントチャートの各作業要素を識別する情報の少なくとも１つ以上を含むことを特徴とする請求項１に記載の計画管理システム。
【請求項５】
計画を管理する計画管理方法において、
計画画面の表示属性情報を保持する属性保持工程（Ｓ３０２）と、
表示属性情報を属性保持工程に保存する属性保存工程（Ｓ２０９）と、
属性保持工程が保持する表示属性情報を計画画面に反映する属性反映工程（Ｓ２１１）と、
を備えることを特徴とする計画管理方法。
【請求項６】
さらに、計画画面に表示属性情報を反映する前の表示属性情報を保持する履歴保持工程（Ｓ３１３）と、計画画面に表示属性情報が反映される前の状態に戻す反映取消工程（Ｓ２１３）と、を備えることを特徴とする請求項５に記載の計画管理方法。
【請求項７】
前記属性反映工程は、前記属性保持工程が表示属性情報を保持している場合に、計画画面の表示属性情報を前記履歴保持工程に保存し、前記属性保持工程が保持している表示属性情報を計画画面に適用することを特徴とする請求項６に記載の計画管理方法。
【請求項８】
前記表示属性情報は、計画画面のサイズ、ガントチャートの表示位置、ガントチャートの表示範囲、ガントチャートの縦軸要素の順序、ガントチャートの各作業要素を識別する情報の少なくとも１つ以上を含むことを特徴とする請求項５に記載の計画管理方法。
【請求項９】
計画管理プログラムを記録する記録媒体であって、
計画を管理する計画管理において、
計画画面の表示属性情報を保持する属性保持機能（Ｓ３０２）と、
表示属性情報を属性保持機能に保存する属性保存機能（Ｓ２０９）と、
属性保持機能が保持する表示属性情報を計画画面に反映する属性反映機能（Ｓ２１１）と、
を実現するプログラムを記録することを特徴とする記録媒体。
【発明の詳細な説明】
【技術分野】
【０００１】
本発明は、製造現場における生産計画を管理する計画管理システムに関する。
【背景技術】
【０００２】
従来、製造現場では、月単位や日単位などの所定の期間に製造する製品の生産計画を作成し、該生産計画に沿って製造を行っている。生産計画は、ある注文群の製品を製造するのに、どの製造装置やどの作業員をいつからいつまで使うかを表したガントチャートで表現することが一般的である。
【０００３】
生産計画の作成方法には様々な方法があり、例えば、バックワード方式とフォワード方式がある。バックワード方式は、注文の納期時刻から遡って、その注文が納期に間に合うように作業を割りつけていく方法である。一方、フォワード方式は、製造開始時刻から順に注文を割り付けていく方法である。
【０００４】
製造現場の管理者は、生産計画を作成する際に、製造装置の稼働状況や作業員の出社状況などのその時の状況に応じた最適な生産計画の作成を試行する。この試行において、どのパラメータを変えるとより適切な生産計画になるのか、あるいは、複数作成した生産計画のうち、どの生産計画を採用するかを判断するため、生産計画同士を比較することが必要になる。このとき、例えば、バックワード方式で作成した生産計画は、納期時刻付近に注文が集中するため、ガントチャートの表示範囲が納期時刻付近となる。他方、フォワード方式で作成した生産計画は、製造開始時刻付近に注文が集中するため、ガントチャートの表示範囲が製造開始時刻付近となる。
【０００５】
このように、生産計画の作成方法によってガントチャートの表示位置や表示範囲が異なるため、管理者は比較し易いようにガントチャートの表示位置や表示範囲を比較の都度調整なければならなかった。
【０００６】
複数の画面の比較を容易にする方法として、特許文献１に開示の技術がある。特許文献１に開示の技術は、第一の画面における対象物に対応する対象物が第二の画面で常に表示されるように第二の画面を自動的にスクロールさせる技術である。この技術によれば、両方の画面に常に比較したい対象物を表示することができる。
【先行技術文献】
【特許文献】
【０００７】
【特許文献１】特開２００８−５２６２１号公報
【発明の概要】
【発明が解決しようとする課題】
【０００８】
しかしながら、生産計画の作成方法を変えると注文の生産順序は多くの場合異なる。このため、上記従来技術を生産計画の比較に用いた場合、例えば、第一のガントチャートの表示位置を時間軸方向にスクロールすると、第二のガントチャートの表示位置が頻繁にスクロールされてしまう。これによって、かえって比較しづらくなってしまう。
【０００９】
そこで、本発明は、上記課題を鑑み、複数の対象物の比較を容易にする計画管理システム及び方法及び記録媒体を提供することを目的とする。
【課題を解決するための手段】
【００１０】
上記の目的を達成するために、本発明に係る計画管理システムは、
計画画面の表示属性情報を保持する属性保持手段と、
表示属性情報を属性保持手段に保存する属性保存手段と、
属性保持手段が保持する表示属性情報を計画画面に反映する属性反映手段と
を備えることを特徴とする。
【発明の効果】
【００１１】
本発明に係る計画管理システムによれば、複数の対象物を容易に比較することができる。
【図面の簡単な説明】
【００１２】
【図１】本発明に係る計画管理システムのハードウェア構成、および、論理構成の例を示す図
【図２】本発明に係る管理サーバのハードウェア構成の例を示す図
【図３】本発明に係る計画管理システムにおける全体の処理の流れの例を示す図
【図４】本発明に係る計画管理システムの管理画面の例を示す図
【図５】本発明に係る計画管理システムの計画表示処理の流れの例を示す図
【図６】本発明に係る計画管理システムの計画画面の例を示す図
【図７】本発明に係る計画管理システムにおける各種の処理の流れの例を示す図
【図８】本発明に係る計画管理システムにおける表示属性情報の例を示す図
【発明を実施するための形態】
【００１３】
以下、本発明を実施するための形態を図面に基づいて説明する。
【実施例】
【００１４】
［第一の実施例］
第一の実施例では、第一の計画画面の表示属性を第二の計画画面に複製することで計画の比較を容易にする例を説明する。
【００１５】
以下、本発明を適用した第一の実施例を説明する。
【００１６】
＜印刷システムのハードウェア構成＞
図１（ａ）に、本実施例における計画管理システムのハードウェア構成を示す。
【００１７】
図１（ａ）において、１０１は、製品を製造する製造現場である。後述の管理サーバや製造装置が設置され、管理者や作業員が製品を製造するためにここで製造行為を行う。１０２は、計画管理システムを動作させる管理サーバである。管理サーバの詳細は後述する。１０３は、製品を製造するための製造装置である。
【００１８】
＜管理サーバのハードウェア構成＞
次に、図２を用いて、管理サーバのハードウェア構成を説明する。
【００１９】
図２において、２０１は、後述の記憶装置２０６上に格納された計算機プログラムを読み込み、解釈、実行し、後述のバス２０９を介してバスに接続された後述のＲＡＭ２０３やディスプレイ２０４などを制御する中央演算処理装置（ＣＰＵ：Ｃｅｎｔｒａｌ  Ｐｒｏｃｅｓｓｉｎｇ  Ｕｎｉｔ）である。２０２は、バスに接続されたハードウェアとの低レベルでの入出力制御を行う読み出し専用メモリ（ＲＯＭ：Ｒｅａｄ  Ｏｎｌｙ  Ｍｅｍｏｒｙ）である。２０３は、ＣＰＵ２０１が演算する際の情報を一時的に記憶するランダムアクセスメモリ（ＲＡＭ：Ｒａｎｄｏｍ  Ａｃｃｅｓｓ  Ｍｅｍｏｒｙ）である。２０４は、ＣＰＵによる計算結果を表示するディスプレイである。
【００２０】
２０５は、ユーザからの入力を受け付けるキーボードである。但し、端末がスマートデバイスの場合は、タッチパネルを備えているため、キーボード２０５は付随していなくても構わない。２０６は、計算に利用するプログラムやデータを格納する記憶装置である。
２０７は、ローカルネットワークやイントラネット、インターネットなどのネットワークに接続するネットワークＩ／Ｆ（Ｉ／Ｆ：インターフェイス）である。２０８は、ユーザが画面上で指定した座標を受け付けるマウスやトラックボールなどのポインティングデバイスである。２０９は、上記ＣＰＵ２０１乃至ポインティングデバイス２０８が接続された信号線であるところのバスである。
【００２１】
管理サーバのハードウェア構成は、本発明の主たる要件ではないので、詳細な説明は省略する。
【００２２】
＜計画管理システムの論理構成＞
次に、図１（ｂ）を用いて、本実施例における計画管理システムの論理構成を説明する。
【００２３】
３０１は、本実施例における計画管理システムである。３０２は、計画管理システム全体を制御する制御部である。３０３は、後述する管理画面や計画画面を表示する表示部である。３０４は、管理者からの指示を受け付ける入力部である。３０５は、製造装置の能力情報や生産現場の稼働日などの生産計画を計算するための情報（以下、計画情報）、および、注文に関する情報を保持する計画情報保持部である。
【００２４】
３０６は、生産計画を計算する計画部である。３０７は、計画画面の表示に関する情報（以下、表示属性情報）を保持する属性保持部である。３０８は、表示属性情報を属性保持部に保存する属性保存部である。３０９は、計画画面に表示属性情報を反映する属性反映部である。３１０は、表示属性情報の履歴を保持する履歴保持部である。３１１は、表示属性情報の反映を取り消す反映取消部である。３１２は、計算途中の情報を保持するバッファメモリである。
【００２５】
＜計画管理システムにおける全体の処理の流れ＞
次に、図３を用いて、計画管理システムにおける全体の処理の流れを説明する。
【００２６】
ステップＳ１０１において、制御部３０２は、管理者との情報の入出力を行うための管理画面を表示部３０３に表示する。
【００２７】
ここで、管理画面について図４を用いて説明する。図４において、４０１は、計画管理システムの管理画面である。４０２は、注文を読み込む注文読み込みボタンである。４０３は、計画を作成する計画作成ボタンである。４０４は、計画を表示する計画表示ボタンである。４０５は、計画管理システムを終了する閉じるボタンである。
【００２８】
ステップＳ１０２において、制御部３０２は、管理者からの入力を待機する。
【００２９】
ステップＳ１０３において、制御部３０２は、注文読み込み指示があったか判定し、指示があった場合には、ステップＳ１０４に進み、指示がなかった場合には、ステップＳ１０９に進む。
【００３０】
ステップＳ１０４において、制御部３０２は、不図示の注文選択画面を表示し、管理者からの注文および計画情報の指定を受け付ける。具体的には、制御部３０２は、注文および計画情報を計画情報保持部３０５から読み込み、その一覧を注文選択画面に表示する。注文選択画面は、注文の一覧、計画情報の一覧、決定ボタンを備え、管理者からの注文と計画情報の選択、および、決定ボタンの押下を受け付けることができる。制御部３０２は、決定ボタンの押下を受け付けると管理者により選択された注文と計画情報に対応するデータを計画情報保持部３０５から取得しバッファメモリ３１２に書き込む。
【００３１】
ステップＳ１０５において、制御部３０２は、計画作成指示があったか判定し、指示があった場合には、ステップＳ１０６に進み、指示がなかった場合には、ステップＳ１０７に進む。
【００３２】
ステップＳ１０６において、制御部３０２は、読み込んだ注文および計画情報に基づき計画を作成し、バッファメモリ３１２に書き込む。本実施例では、計画の作成方法として、山積み山崩し法を用いる。しかし、計画の作成方法はこれに限定するものではなく、例えば、線形計画法や組み合わせ最適化法などを用いても良く、計画を作成できる方法であればどのような作成方法でも構わない。計画の作成方法は本発明の主たる要件ではないので、詳細な説明は省略する。
【００３３】
ステップＳ１０７において、制御部３０２は、計画表示指示があったか判定し、指示があった場合には、ステップＳ１０８に進み、指示がなかった場合には、ステップＳ１０９に進む。
【００３４】
ステップＳ１０８において、制御部３０２は、計画を計画画面にガントチャート形式で表示する。計画表示処理の詳細については図５を用いて後述する。
【００３５】
ここで、計画画面について図６（ａ）を用いて説明する。
【００３６】
図６（ａ）において、５０１は、計画画面である。５０２は、ガントチャートである。５０３は、製造装置や作業員などの製造に関わるリソースを表示するリソース欄である。５０４は、注文に対応する作業をいつからいつまで行うかを表す計画欄である。５０５から５０９は、それぞれ注文１から５に対応する印刷作業である。５１０から５１４は、それぞれ注文１から５に対応する断裁作業である。５１５は、ガントチャートの縦方向の表示位置を制御するスクロールバーである。５１６は、ガントチャートの横方向の表示位置を制御するスクロールバーである。５１７は、計画画面を閉じる、閉じるボタンである。図６（ａ）の例は、注文１から５をフォワード方式で計画した結果であり、注文１から５に対応する印刷作業が９：００から順に計画されて、次いで、注文１から５に対応する断裁作業が順に計画されている。
【００３７】
ステップＳ１０９において、制御部３０２は、画面を閉じる指示があったか判定し、指示があった場合には、ステップＳ１１０に進み、指示がなかった場合には、ステップＳ１０２に戻る。
【００３８】
ステップＳ１１０において、制御部３０２は、開いている画面を閉じ処理を終了する。
【００３９】
＜計画表示処理の流れ＞
次に、図５を用いて計画表示処理の流れを説明する。
【００４０】
ステップＳ２０１において、制御部３０２は、表示属性保持部３０７を参照し、表示属性情報が保持されている場合には、表示属性情報を取得する。保持されていない場合には、初期値を取得する。表示属性情報の詳細は後述する。
【００４１】
ステップＳ２０２において、制御部３０２は、バッファメモリ３１２に書き込まれた計画を取得し、計画画面を作成し、表示する。
【００４２】
ステップＳ２０３において、制御部３０２は、管理者からの入力を待機する。
【００４３】
ステップＳ２０４において、制御部３０２は、ガントチャートの表示位置を変更する指示があるか判定する。指示があった場合には、ステップＳ２０５に進み、指示がなかった場合には、ステップＳ２０６に進む。
【００４４】
ステップＳ２０５において、制御部３０２は、ガントチャートの表示位置を変更する。ガントチャートの表示の変更については後述する。
【００４５】
ステップＳ２０６において、制御部３０２は、ガントチャートの表示範囲を変更する指示があるか判定する。指示があった場合には、ステップＳ２０７に進み、指示がなかった場合には、ステップＳ２０８に進む。
【００４６】
ステップＳ２０７において、制御部３０２は、ガントチャートの表示範囲を変更する。
【００４７】
ステップＳ２０８において、制御部３０２は、表示属性保存指示があるか判定する。指示があった場合には、ステップＳ２０９に進み、指示がなかった場合には、ステップＳ２１０に進む。表示属性保存指示の入力方法としては、キーボードのＣキーの押下とする。
【００４８】
ステップＳ２０９において、制御部３０２は、表示属性保存処理を行う。表示属性保存処理の詳細については後述する。
【００４９】
ステップＳ２１０において、制御部３０２は、表示属性反映指示があるか判定する。指示があった場合には、ステップＳ２１１に進み、指示がなかった場合には、ステップＳ２１２に進む。表示属性反映指示の入力方法としては、キーボードのＶキーの押下とする。
【００５０】
ステップＳ２１１において、制御部３０２は、表示属性反映処理を行う。表示属性反映処理の詳細については後述する。
【００５１】
ステップＳ２１２において、制御部３０２は、反映取消指示があるか判定する。指示があった場合には、ステップＳ２１３に進み、指示がなかった場合には、ステップＳ２１４に進む。反映取消指示の入力方法としては、キーボードのＺキーの押下とする。
【００５２】
ステップＳ２１３において、制御部３０２は、表示属性取消処理を行い、計画画面に表示属性情報が反映される前の状態に戻す。表示属性取消処理の詳細については後述する。
ステップＳ２１４において、制御部３０２は、閉じるボタンが押下されたか判定する。指示があった場合には、ステップＳ２１５に進み、指示がなかった場合には、ステップＳ２０３に戻る。
【００５３】
ステップＳ２１５において、制御部３０２は、計画画面を閉じる。
【００５４】
＜属性保存処理の流れ＞
次に、図７（ａ）を用いて、属性保存処理の流れを説明する。
【００５５】
ステップＳ３０１において、属性保存部３０８は、バッファメモリ３１２から現在の計画画面の表示属性情報を取得する。
【００５６】
ここで、表示属性情報について図８を用いて説明する。
【００５７】
図８において、６０１は、表示属性情報である。６０２は、表示属性情報を表す項目である。６０３は、表示属性情報の各項目に対する値である。６０４と６０５は、それぞれ画面の横サイズと縦サイズである。単位はピクセルである。６０６と６０７は、それぞれガントチャートの横、縦の表示倍率である。６０８と６０９は、それぞれガントチャートの横、縦のスクロール位置である。単位はピクセルである。図８の例は、画面サイズが横６００ピクセル、縦４００ピクセル。ガントチャートの表示倍率が横１２．５倍、縦１．７倍。スクロール位置が横５００ピクセル、縦０ピクセルであることを表す。
【００５８】
ステップＳ３０２において、属性保存部３０８は、取得した表示属性情報を属性保持部３０７に保存する。
【００５９】
＜属性反映処理の流れ＞
次に、図７（ｂ）を用いて、属性反映処理の流れを説明する。
【００６０】
ステップＳ３１１において、属性反映部３０９は、属性保持部３０７に表示属性情報があるか判定する。表示属性情報があった場合には、ステップＳ３１２に進み、なかった場合には、処理を終了する。
【００６１】
ステップＳ３１２において、属性反映部３０９は、バッファメモリ３１２から現在の計画画面の表示属性情報を取得する。
【００６２】
ステップＳ３１３において、属性反映部３０９は、取得した表示属性情報を履歴保持部３１０に保存する。
【００６３】
ステップＳ３１４において、属性反映部３０９は、属性保持部３１０から表示属性情報を取得する。
【００６４】
ステップＳ３１５において、属性反映部３０９は、取得した表示属性情報で計画画面の表示属性情報を変更する。
【００６５】
＜反映取消処理の流れ＞
次に、図７（ｃ）を用いて、反映取消処理の流れを説明する。
【００６６】
ステップＳ３２１において、反映取消部３１１は、履歴保持部３１０に表示属性情報があるか判定し、表示属性情報があった場合には、ステップＳ３２２に進み、なかった場合には、処理を終了する。
【００６７】
ステップＳ３２２において、反映取消部３１１は、履歴保持部３１０から表示属性情報を取得する。
【００６８】
ステップＳ３２３において、反映取消部３１１は、取得した表示属性で計画画面の表示属性情報を変更する。
【００６９】
ステップＳ３２４において、反映取消部３１１は、履歴保持部３１０から取得した表示属性情報を削除する。
【００７０】
＜計画の比較の流れ＞
次に、図６（ａ）から（ｄ）を用いて、計画を比較するときの流れを説明する。
【００７１】
まず、管理者は注文１から５を製造するときの計画を得るため、計画管理システムにフォワード方式で計画させ、図６（ａ）の計画を得る。図６（ａ）は注文１から５に対応する作業をフォワード方式で計画した結果（計画１）を表す。
【００７２】
次に、管理者は比較のため、バックワード方式で計画管理システムに計画させ、図６（ｂ）の計画を得る。図６（ｂ）は、注文１から５に対応する作業をバックワード方式で計画した結果（計画２）を表す。
【００７３】
次に管理者は計画１と計画２を比較するため、計画１の最初の作業と計画２の最後の作業が表示できるよう表示倍率を下げ、図６（ｃ）の結果を得る。図６（ｃ）は、計画１の９：００から１７：００までが見えるように横方向の表示倍率を下げた結果を表す。
【００７４】
次に、管理者は計画２の表示を計画１に合わせるため、計画１の表示属性情報を計画２に反映させ、図６（ｄ）の結果を得る。図６（ｄ）は、図６（ｃ）の表示属性情報を計画２に反映した結果を表す。反映したことにより、横方向の表示倍率が下がり、計画２においても９：００から１７：００までの計画を見えるようにすることができる。
【００７５】
以上、説明した技術によれば、複数の計画を比較するときに、一つの計画の表示属性情報を保存し、他の計画の表示属性情報として反映したことにより、管理者は容易に複数の計画を比較することができる。
【００７６】
［他の実施の形態］
前記実施例において、表示属性情報は、画面サイズ、ガントチャートの表示倍率、スクロール位置とした。しかし、表示属性情報はこれに限定するものではなく、例えば、リソースの表示順などのガントチャートの縦軸要素の順序でも良いし、注文に対応する作業を区別する色や模様などのガントチャートの各作業要素を識別する情報でも良い。計画作成のパラメータによっては、複数の計画で使われるリソースの順序が異なる場合がある。リソースの表示順を複数の計画間で揃えることで、より比較し易くすることができる。表示属性情報についてさらに言えば、計画の表示に関係する情報であれば、どのような情報であっても構わない。
【００７７】
また、前記実施例において、表示属性保存指示、表示属性反映指示、および、反映取消指示の入力方法は、キーボードのキー入力とした。しかし、各指示の入力方法はこれに限定するものではなく、例えば、計画画面に各指示に対応するボタンを設け、管理者によるボタンの押下によって入力させても良い。あるいは、マウスのドラッグアンドドロップ操作で表示属性を反映できるようにしても良い。例えば、１の計画画面から２の計画画面にマウスをドラッグアンドドロップすることで表示属性を保存、反映するようにしても良い。
【００７８】
また、タッチパネルに表示する場合には、各指示に異なるタッチジェスチャーを割り当て、タッチジェスチャーの入力を検知することで、対応する指示の処理を実行するようにしても良い。さらに言えば、各指示を判別できる入力方法であれば、どのような入力方法であっても構わない。
【００７９】
また、前記実施例において、表示属性情報を反映させる対象は計画画面とした。しかし、これに限定するものではなく、例えば、画像編集ソフトウェアの画像表示画面や三次元物体設計ソフトウェアの三次元物体表示画面などであっても良い。さらに言えば、対象物を表示する画面を複数表示することができるシステムの表示画面であれば、どのような画面であっても構わない。
【００８０】
また、前記実施例において、ガントチャートはリソースを縦軸要素としたリソースガントチャートを用いたが、これに限定するものではなく、例えば、注文を縦軸要素とした注文ガントチャートであっても良い。
【００８１】
また、前記実施例において、計画管理システムは製造現場に設置された管理サーバで動作するとした。が、計画管理システムの動作場所はこれに限定されるものではなく、例えば、製造会社の別拠点に設置されたサーバで動作させ、製造現場のクライアント端末からアクセスするようにしても良い。また、クラウドのサーバで動作させ、製造現場のクライアント端末からアクセスするようにしても良い。
【００８２】
また、前記実施例において、表示属性反映処理は、属性保持部３０７が保持する表示属性情報を１つ取得し、計画画面に反映するものとした。が、表示属性の反映のさせ方はこれに限定するものではなく、例えば、複数の表示属性情報を保持しておき、反映するときに管理者に複数提示し選択させるようにしても良い。
【００８３】
＜記憶媒体＞
なお、本発明は、複数の機器（例えばホストコンピュータ、インターフェイス機器、リーダ、プリンタなど）から構成されるシステムに適用しても、一つの機器からなる装置（例えば、複写機、ファクシミリ装置など）に適用しても良い。
【００８４】
また、本発明の目的は、前述した実施形態の機能を実現するソフトウェアのプログラムコードを記録した記憶媒体を、システムあるいは装置に供給し、
そのシステムあるいは装置のコンピュータ（又はＣＰＵ又はＭＰＵ）が記憶媒体に格納されたプログラムコードを読み出し実行することによっても達成されることは言うまでもない。
【００８５】
この場合、記憶媒体から読み出されたプログラムコード自体が前述した実施形態の機能を実現することになり、そのプログラムコードを記憶した記憶媒体は本発明を構成することになる。
【００８６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００８７】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、
その処理によって前述した実施形態の機能が実現される場合も含まれることは言うまでもない。
【００８８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【符号の説明】
【００８９】
１０１  印刷現場、１０２  管理サーバ、１０３  製造装置、
３０１  計画管理システム、３０２  制御部、３０３  表示部、３０４  入力部、
３０５  計画情報保持部、３０６  計画部、３０７  属性保持部、３０８  属性保存部、
３０９  属性反映部、３１０  履歴保持部、３１１  反映取消部、
３１２  バッファメモリ
【図１】
2017120453.tif 000003
【図２】
2017120453.tif 000004
【図３】
2017120453.tif 000005
【図４】
2017120453.tif 000006
【図５】
2017120453.tif 000007
【図６】
2017120453.tif 000008
【図７】
2017120453.tif 000009
【図８】
2017120453.tif 000010